(57)【要約】【課題】  押しボタン操作の繰返しによる耐久性を向上できるヘルメット用ヘッドバンドのバックルを提供する。【解決手段】  ベルト４が挿通されるカバー９内に固定されたバックル本体１０と、本体１０に固定されて本体１０との間にベルト９の挿通空間を構成するストッパ１１と、これの上面に配置されてカバー９との間に狭持状態に保持され、かつその表面中央に突設されたボタン８をカバ−９の表面から突出させた湾曲状のバネ板１２とを備え、バネ板１２の一端には湾曲状態でベルト４に刻設された複数の爪部７に係合し、ボタン操作により前記バネ板１２を平坦状に弾性変形させることで、爪部７より離間する係止爪１２ａを突設した。【選択図】      図３
2006204691.tif 000002
【特許請求の範囲】
【請求項１】
ヘルメットの内部に配置されたヘッドバンドの一方にベルトを、他方にベルト挿通用バックルを対向して設け、前記ベルトの表面には抜止め用の複数の爪部を設ける一方、前記バックルの内部には前記複数の爪部に選択的に係合する係止爪と、押動操作により、前記複数の爪部と係止爪との係合を解除するための機構を備えたヘルメット用ヘッドバンドのバックル構造において、
前記バックルは、バックル本体と、前記バックル本体に固定されてバックル本体との間に前記ベルトの挿通空間を構成するストッパ板と、前記ストッパ板の上面側に配置されたバネ板とを備え、
前記バネ板の一端には自然状態で前記ベルトに設けた前記複数の爪部に選択的に係合し、押動操作により前記バネ板を弾性変形させることで、前記複数の爪部より離間する係止爪が形成されたことを特徴とするヘルメット用ヘッドバンドのバックル構造。
【請求項２】
ヘルメットの内部に配置されたヘッドバンドの一方にベルトを、他方にベルト挿通用バックルを対向して設け、前記ベルトの表面には抜止め用の複数の爪部を設ける一方、前記バックルの内部には前記複数の爪部に選択的に係合する係止爪と、押しボタン操作により、前記複数の爪部と係止爪との係合を解除するための機構を備えたヘルメット用ヘッドバンドのバックル構造において、
前記バックルは、前記ヘッドバンドの他方に固定的に設けられ、ベルトが挿通されるカバーと、前記カバー内に固定されたバックル本体と、前記バックル本体に固定されてバックル本体との間に前記ベルトの挿通空間を構成するストッパ板と、前記ストッパ板の上面に配置されて前記カバーとの間に狭持状態に保持され、かつその表面中央に突設された押しボタンを前記カバ−の表面から突出させた前後方向下向き湾曲状のバネ板とを備え、
前記バネ板の一端には湾曲状態で前記ベルトに設けた前記複数の爪部に選択的に係合し、押しボタン操作により前記バネ板を平坦状に弾性変形させることで、前記複数の爪部より離間する係止爪を形成したことを特徴とするヘルメット用ヘッドバンドのバックル構造。
【請求項３】
前記ベルトの複数の爪部がラチェット歯であり、前記バネ板の係止爪がラチェット爪であって、両者の係止状態で、ベルトの抜け方向を係合規制するとともに差し込み方向ではベルトの差し込みを許容し、離間状態でベルトの抜け方向の規制を解除するようにしたことを特徴とする請求項１又は２記載のヘルメット用ヘッドバンドのバックル構造。
【請求項４】
前記バックル本体は、前記バンド他端の前後方向に設けられた底面部と、その両側に形成された側壁部とを有し、両側壁部間には、底面部との間にベルト挿通空間を形成するように前記ストッパ板が架設され、ストッパ板の上面には、前後方向下向き湾曲状の前記バネ板が設置され、バネ板先端の前記係止爪が前記ベルト挿通空間に突出して前記複数の爪部に選択的に係合されるようにしたことを特徴とする請求項１乃至３のいずれか１項記載のヘルメット用ヘッドバンドのバックル構造。
【請求項５】
前記ストッパ板には前記バネ板の位置決め用突部（又は位置決め孔）が形成されているとともに、前記バネ板には前記突部に挿通される位置決め孔（又は前記位置決め孔に挿通される位置決め突部）が形成されていることを特徴とする請求項１乃至４のいずれか１項記載のヘルメット用バンドのバックル構造。
【発明の詳細な説明】
【技術分野】
【０００１】
本発明は、工事用或いはバイク用などのヘルメットにおけるヘッドバンドの締付け調整に用いて有効なヘルメット用ヘッドバンドのバックル構造に係るものである。
【背景技術】
【０００２】
この種ヘルメットにおけるヘッドバンドの締付け調整用バックルとして、下記特許文献１に示す合成樹脂製バックルがある。このものは、ベルト挿通空間を備えたバックル本体と、バックル本体の上面においてその両側部に一体成形されたピン状の樹脂ヒンジを介して揺動可能に一体化された操作板とを備え、操作板の一端にはベルトに刻設されたラチェット歯に常時噛合する側に付勢されるラチェット爪を設け、他端上面には押しボタンを一体に突設したものである。
【０００３】
この構造においては、前記ラチェット歯とのラチェット爪の係合によりベルトを締める側に移動可能であるが、逆方向には抜け止めされる。この状態から押しボタンを押圧することにより、前記樹脂ヒンジを支点として操作板を逆側に弾性変形させることで、前記ラチェット爪をラチェット歯より掛け外し、逆方向の移動を可能としたものである。
【特許文献１】特許公開２００−１３５１０３号公報
【発明の開示】
【発明が解決しようとする課題】
【０００４】
しかしながらこの構造においては、繰返し押しボタン操作を行うと、樹脂ヒンジ部分の一点に曲げ応力が集中して疲労を生じ、この部分に脆性破壊を生じやすい。
なお、該種機構を採用したヘッドバンドは、装着者の頭部に確実にフィットさせなければならず、万が一このような脆性破壊を生じた場合には、使用者の頭部からヘッドバンドごとヘルメットが脱落し、極めて危険である。
また、このために樹脂ヒンジの剛性を高く設定した場合には、ボタン操作時における弾性抵抗が大きすぎて、操作板の離脱方向への変形を得にくい欠点があった。
【０００５】
本発明は以上の課題を解決するものであり、押しボタン操作の繰返しによる耐久性を向上できるようにしたヘルメット用ヘッドバンドのバックル構造を提供するものである。
【課題を解決するための手段】
【０００６】
前記目的を達成するため、本発明は、図の実施の形態にも示されるように、ヘルメットの内部に配置されたヘッドバンドの一方にベルトを、他方にベルト挿通用バックルを対向して設け、前記ベルトの表面には抜止め用の複数の爪部を設ける一方、前記バックルの内部には前記複数の爪部に選択的に係合する係止爪と、押動操作により、前記複数の爪部と係止爪との係合を解除するための機構を備えたヘルメット用ヘッドバンドのバックル構造において、
前記バックル（バックル部６、２０）は、バックル本体１０（２１）と、前記バックル本体１０（２１）に固定されてバックル本体１０（２１）との間に前記ベルト４の挿通空間を構成するストッパ板１１（２２）と、前記ストッパ板１１（２２）の上面に配置されたバネ板１２（２３）とを備え、前記バネ板１２（２３）の一端には自然状態で前記ベルトに設けた前記複数の爪部７に選択的に係合し、押動操作により前記バネ板１２（２３）を弾性変形させることで、前記複数の爪部７より離間する係止爪１２ａ（２３ａ）が形成されたことを特徴とする。
【０００７】
また、本発明では、前記バックル（バックル部６、２０）は、前記ベルト４が挿通されるように前後が開口されたハウジング型のカバー９と、前記カバー９内に固定されたバックル本体１０（２１）と、前記バックル本体１０（２１）に固定されてバックル本体１０（２１）との間に前記ベルト４の挿通空間を構成するストッパ板１１（２２）と、前記ストッパ板１１（２２）の上面に配置されて前記カバー９との間に狭持状態に保持されるバネ板１２（２３）であって、かつその表面中央に突設された押しボタン８（２４）を前記カバ−９の表面から突出させた前後方向下向き湾曲状のバネ板１２（２３）とを備え、前記バネ板１２（２３）の一端には湾曲状態で前記ベルトに設けた前記複数の爪部７に選択的に係合し、押しボタン８（２４）の押圧操作により前記バネ板１２（２３）を平坦状に弾性変形させることで、前記複数の爪部７より離間する係止爪１２ａ（２３ａ）を形成したことを特徴とする。
【０００８】
さらに、前記ベルトの複数の爪部７がラチェット歯であり、前記バネ板１２（２３）の係止爪１２ａ（２３ａ）がラチェット爪であって、両者の係止状態で、ベルトの抜け方向を係合規制するとともに差し込み方向ではベルトの差し込みを許容し、離間状態でベルトの抜け方向の規制を解除するようにしたことを特徴とする。
【０００９】
さらにまた、前記バックル本体１０（２１）は、前記バンド他端の前後方向に設けられた底面部１０ａ（２１ａ）と、その両側に形成された側壁部１０ｂ（２１ｂ）とを有し、両側壁部１０ｂ（２１ｂ）間には、底面部１０ａ（２１ａ）との間にベルト挿通空間を形成するようにストッパ板１１（２２）が架設され、ストッパ板１１（２２）の上面には、前後方向下向き湾曲状の前記バネ板１２（２３）が設置され、バネ板１２（２３）先端の前記係止爪１２ａ（２３ａ）が前記ベルト挿通空間に突出して前記複数の爪部７に選択的に係合されるようにしたことを特徴とする。
【００１０】
またさらに、図４及び図５の第２実施形態に示すように、前記ストッパ板２２上面の前後には前記バネ板位置決め用のピン状突部２２ｂが突設されているとともに、前記バネ板２３の前後には前記突部２２ｂに挿通される位置決め孔２３ｃが開口されていることを特徴とする。突部２２ｂと位置決め孔２３ｃとは、前後に形成されている。突部２２ｂと位置決め孔２３ｃの位置は、バネ板に突部をストッパ板に位置決め孔を形成させるようにしても差し支えない。
【００１１】
上記の構成において、図３（ａ）の自由状態では、ヘッドバンド１の一方に連続形成されたベルト４を他側に固定して設けたバックル部６内に挿入した時に、バネ板１２の係止爪１２ａが、ベルト４上面のラチェット歯よりなる複数の爪部７に係合する。これにより、ベルト４を先端方向に引いてヘッドバンド１を締めることはできても、後方に引くことはできず、ヘッドバンド１を緩めることはできない。
この自由状態から、図３（ｂ）に示すように、押しボタン８を押し下げる（ヘルメットの装着状態ではヘルメットの内側部から外方に押す）ことにより、バネ板１２がストッパ板１１の平坦上面に沿って略平坦状に弾性変形し、係止爪１２ａが複数の爪部７から浮き上がり、係合状態が解除され、ベルト４を自由に後方に移動させてヘッドバンド１を緩めることができる。
【発明の効果】
【００１２】
本発明によれば、バネ板全体を平坦状に弾性変形させることで、爪部から係止爪が離間するため、繰返し押しボタン操作を行っても局部ひずみの発生やこれに伴う破断がなく、耐久性に富む。
【００１３】
また、ベルトの締付け方向は規制されず、緩め方向のみ規制されるため、特に締付け調整する場合にはいちいち押しボタン操作をすることがなく、調整が簡単となる。
【００１４】
請求項５の発明によれば、本体にバネ板を組付ける際に、爪の位置を誤って取付けることがなく、組立性に富む。
【発明を実施するための最良の形態】
【００１５】
（第１実施形態）
以下本発明の最良の実施の形態につき、添付図面を参照して説明する。
図１乃至図３は、第１実施形態を示す。図１は本発明が適用されるヘルメット用ヘッドバンドを示すものである。
【００１６】
図におけるヘッドバンド１は可撓性のある合成樹脂射出成形体からなり、ループ状に形成されたバンド本体２の外周複数箇所に図示しないヘルメットの内張に連結される係止片３を形成するとともに、バンド本体２のループを構成する一端に締付け用ベルト４を、他方端にベルトガイド用の帯片５をそれぞれ一体に形成する。帯片５の表面に前記ベルト４の挿通用のバックル部６を一体的に突出する。バックル部６は、前後方向に開口するハウジング状をなし、帯片５の表面に形成されている。ベルト４をバックル部６に挿通し、適宜位置に固定することにより、装着者の頭部を締付け固定するものである。
【００１７】
ベルト４には後述のラチェット爪よりなる係止爪１２ａに係合することにより、締付け方向にのみ移動可能な複数のラチェット歯よりなる複数の爪部７が一列に刻設されている一方、バックル部６表面の孔９ｂからは、は後述するラチェット爪よりなる係止爪１２ａの係合解除用押しボタン８を突設している。
【００１８】
図２は前記バックル部６の詳細構造を示すものであり、このものは前記帯片５の表面に突出形成され、その前後及び背面を開口したカバー９と、カバー９の背面開口よりカバー９内に差込まれるバックル本体１０と、バックル本体１０に固定された撓みストッパ板１１と、ストッパ板１１の上面に配置されてカバー９との間に狭持状態に固定され、かつその表面中央に前記押しボタン８を突設したバネ板１２とを備えたものである。
【００１９】
カバー９は、バンド本体２の他端を構成する帯片５の上面に一体成形により形成され、前後と背面が開口したハウジング形状をなしている。カバー９の前後開口９ａは前記ベルト４の挿通用開口であって、またその上面には押しボタン８の挿通用の孔９ｂ及び切欠き９ｃが形成され、さらには底部両側面には、それぞれ前後一対の係止孔９ｄを開口している。
【００２０】
前記バックル本体１０は、前記カバー９内に差込まれた状態で前記帯片５と同一面状となる底面部１０ａと、その両側に立上がり、前記カバー９の両側壁の内側に密着する両側壁部１０ｂと、両側壁部１０ｂの下部にそれぞれ突設され、前記係止孔９に嵌合して抜止めされる前後一対の係止爪１０ｃを備えたものである。
【００２１】
前記ストッパ板１１は、前記バックル本体１０の底面部１０ａとの間でベルト９が挿通される空間を構成するもので、その先端両側を前記バックル本体１０の先端段部に設置され、後部両側に前記バックル本体９の両側壁に開口された係止用長孔に嵌め付け固定される突片１１ａを突設したものであり、その中央の板状部１１ｂの前後端で、前記バネ板１２を湾曲状に支持する。また板状部１１ｂの中央には、前記押しボタン８の裏面側に形成された孔に嵌合するガイドピン１１ｃが突設されている。
【００２２】
前記バネ板１２は、下向き湾曲状の板バネであって、その中央上面に前記押しボタン８を一体に突設した弾性樹脂からなり、その先端下部には前記爪部７に噛合する前述の係止爪１２ａが一体に突設されている。
【００２３】
以上の構成における組立状態では、図３（ａ）に示すように、前記バネ板１２は押しボタン８をカバー９の上面に開口された孔９ｂを通じてその上部に突出させ、その下面前後をストッパ板１１の板状部１１ｂの前後エッジ部に当接させた状態で前記カバー９の上面内側との間に狭持され、さらには押しボタン８の内側に形成した孔８ａに前記ガイドピン１１ｃを嵌合することで昇降動作のみ可能としている。
【００２４】
この状態ではバネ板１２の先端のラチェット爪よりなる係止爪１２ａがラチェット歯よりなる複数の爪部７に噛合することによって、バンド２の締付け方向に対してのみ移動可能であって、その逆側である抜け方向に対する規制がなされる。
【００２５】
この状態から、図３（ｂ）に示すように、指により押しボタン８を押圧することにより、バネ板１２は押圧方向に平坦状に弾性変形し、板状部１１ｂの前後エッジを支点に持上がり、係止爪１２ａが爪部７から掛け外されることにより、バンド２の抜け方向への規制を解除することになるのである。
【００２６】
以上のボタン操作を繰返すことにより、バネ板１２は繰返し曲げ応力を受けることになるが、板状部１１ｂの前後エッジをずれながら全体が撓むため、局部的に応力が集中することがなく、耐久性を十分に得られることになるのである。
【００２７】
なお、前記実施形態では、押しボタン８の内側に形成された孔８ａにガイドピン１１ｃを嵌合することで、両者間の位置決めを行ったが、バネ板１２の裏側にガイドピン（又はボス孔）を突設し、板状部１１ｂにボス孔（ガイドピン）を形成して、両者間の位置決めを行っても良い。このように、バネ板１２は、ストッパ板１１の上面所定位置に凹凸係合などにより、着脱自在に位置決め固定される。
【００２８】
さらには実施形態では、ラチェット歯とラチェット爪の係合により押しボタン操作によらず、一方のみベルトを移動可能としたが、通常の爪部と係止爪の係合とすることで、押しボタン操作により双方への移動を可能とすることもできることは勿論である。
【００２９】
（第２実施形態）
次に、図４．図５は本発明の第２実施形態によるバックルを示し、図４はバックルの分解斜視図、図５（ａ），（ｂ）は同バックルにおける押しボタン操作状態を示す断面図である。
なお本実施形態において、前記実施形態と同一箇所には同一符号を援用し、異なる箇所にのみ異なる符号を用いて説明する。図におけるバックル部２０は、図示しないカバーで覆われたバックル本体２１と、バックル本体２１の内側に設けられた撓みストッパ板２２と、ストッパ板２２上に配置され、かつカバーとの間に狭持されるバネ板２３と、バネ板２３の上部に突設された押しボタン２４とを備えている。
【００３０】
前記バックル本体２１は、前記帯片５と同一面状となり、カバーの底面開口を塞ぐ底面部２１ａと、その両側に立上がる両側壁部２１ｂとからなり、前記ストッパ板２２の両側部を両側壁部２１ｂの内側に一体に渡設し、その下部に前記底面部２１ａとの間にベルト挿通用の空隙部を前後方向に形成している。
【００３１】
このストッパ板２２と両側壁部２１ｂとの間には、バネ板２３の位置決め用の複数のリブ２２ａが内側に向けて突設されているとともに、中央部前後にはピン状の一対の位置決め用突部２２ｂが立設されている。
【００３２】
前記バネ板２３は、下向き湾曲状の弾性樹脂からなり、その先端下部には前記ベルト側の爪部７に噛合する係止爪２３ａが一体に突設されている。このバネ板２３の幅は、幅方向に対向する前記リブ２２ａ間の幅に相当するとともに、バックル本体２１の両側壁部２１ｂの中間に形成された前後のリブ２２ａ間の隙間に、凹凸状に係合する一対の凸部２３ｂがバネ板２３の両側中間に一体に延設されている。更に、バネ板２３の中央部前後には前記ピン状突部２２ｂに挿通される位置決め孔２３ｃが開口されている。
【００３３】
ストッパ板２２上に、バネ板２３が正確に位置決め載置された時には、上記凸部２３ｂと前後のリブ２２ａ間の隙間が係合すると同時に、前後のピン状突部２２ｂと位置決め孔２３ｃが係合する。また、バネ板２３の位置決め載置が逆になった時には、上記凸部２３ｂと前後のリブ２２ａ間の係合又は前後のピン状突部２２ｂと位置決め孔２３ｃとの係合が、不能となるように形成されている。これにより、バネ板２３のバックル本体２１に対する装着時の位置決めを行っている。
【００３４】
以上の構成としたのは、バネ板２３の本体２１に対するアッセンブリ時においてはしばしば前後を間違えて取付けてしまい、係止爪２３ａの向きが逆となり、爪部７に対する噛合状態が得られなくなる場合があるからである。このため、上記凸部２３ｂと前後のリブ２２ａ間の係合、及び前後のピン状突部２２ｂと位置決め孔２３ｃとの係合の組合せにより、前後を間違えて組付けることが不能となり、正しい位置のみに組付が可能となるからである。
【００３５】
以上において、通常状態では、図５（ａ）に示すように、バネ板２３は湾曲形状を保ち、その先端の係止爪２３は爪部７に噛合し、ベルト４を調整位置に固定し、図５（ｂ）に示すように、押しボタン２４を押すと、バネ板２３は平坦状に弾性変形し、係止爪２３は爪部から離間し、長さ調整が可能となるのは前記実施形態と変りがない。但し、本実施形態では、バネ板２３のアッセンブリ時に前後の誤組付けがなく、組立性が良好となる。
【図面の簡単な説明】
【００３６】
【図１】本発明に係るヘルメット用ヘッドバンドの斜視図である。
【図２】本発明の第１実施態様によるバックルの分解斜視図である。
【図３】（ａ），（ｂ）は同バックルの組立状態における押しボタン操作状態を示す断面図である。
【図４】本発明の第２実施形態によるバックルの分解斜視図である。
【図５】（ａ），（ｂ）は同バックルの組立状態における押しボタン操作状態を示す断面図である。
【符号の説明】
【００３７】
１  ヘッドバンド
４  ベルト
６，２０  バックル部
７  複数の爪部（ラチェット歯）
８，２４  押しボタン
９  カバー
１０，２１  バックル本体
１１，２２  ストッパ板
２２ａ  リブ
２２ｂ  位置決め用突部
１２，２３  バネ板
２３ｂ  凸部
２３ｃ  位置決め孔
１２ａ，２３ａ  係止爪（ラチェット爪）
【図１】
2006204691.tif 000003
【図２】
2006204691.tif 000004
【図３】
2006204691.tif 000005
【図４】
2006204691.tif 000006
【図５】
2006204691.tif 000007